(57)【要約】【課題】保持枠をアースするコンパクトなアース構造を備えた弾球遊技機を提供する。【解決手段】遊技機本体の前面には上扉が備えら、遊技機本体には上扉を閉鎖する施錠装置が設けられている。施錠装置にはフレーム部７３が備えられ、フレーム部７３の上部及び下部には上扉に係止する係止爪７６が設けられている。フレーム部７３はアースされている。フレーム部７３の前面は板バネ９０のフレーム接触部９０ａと接触する。板バネ９０の中枠接触部９０ｂは中枠３６に接触し、中枠３６は板バネ９０を介してフレーム部７３に接続される。遊技盤上の構造物はリード線などの接続部を介して中枠３６に接続されている。中枠３６の静電気や電荷は、板バネ９０、施錠装置７２のフレーム部７３を介して外部に放出される。【選択図】        図６
2007061269.tif 000002
【特許請求の範囲】
【請求項１】
遊技盤上に形成される遊技領域を視認させる窓部を備えた扉を有し、前記遊技盤を保持しかつ前記扉を開閉自在に支持する保持体を備え、前記保持体が着脱自在に取り付けられる遊技機本体に前記扉を閉鎖する施錠装置を備えた弾球遊技機において、
前記施錠装置に、アースされたアース部を設け、
前記保持体に、前記保持体が前記遊技機本体に組み込まれたときに前記アース部に当接し、導電性を有する当接部を設けたことを特徴とする弾球遊技機。
【請求項２】
遊技盤上に形成される遊技領域を視認させる窓部を備えた扉を有し、前記遊技盤を保持しかつ前記扉を開閉自在に支持する保持体を備え、前記保持体が取り付けられる遊技機本体に前記保持体を着脱自在に固定する固定装置を備えた弾球遊技機において、
前記固定装置に、アースされたアース部を設け、
前記保持体に、前記保持体が前記遊技機本体に組み込まれたときに前記アース部に当接し、導電性を有する当接部を設けたことを特徴とする弾球遊技機。
【請求項３】
前記保持体が前記遊技機本体に組み込まれたときに、前記アース部と前記当接部とに接触する導電性を有した接続中継部材を備えたことを特徴とする請求項１記載の弾球遊技機。
【請求項４】
前記保持体と、前記遊技盤もしくは前記遊技盤上に設けられた構造物とを電気的に接続させる接続部を設けたことを特徴とする請求項１ないし３いずれか１つ記載の弾球遊技機。
【請求項５】
前記保持体に前記扉を電気的に接続させる接続部を設けたことを特徴とする請求項１ないし４いずれか１つ記載の弾球遊技機。
【発明の詳細な説明】
【技術分野】
【０００１】
本発明はパチンコ店等の遊技場に設置して使用される弾球遊技機に関するものである。
【背景技術】
【０００２】
現在、弾球遊技機であるパチンコ機には取り扱いを容易にするためにその構成に様々な工夫が施されている。例えば、遊技盤を保持する保持体である保持枠が開閉自在に遊技機本体に取り付けられたパチンコ機が既に考案されている。保持枠の一方の側端部にはヒンジ部が設けられ、保持枠はこのヒンジ部を介して遊技機本体に開閉自在に保持されている。遊技機本体には施錠装置が備えられ、この施錠装置によって保持枠はロックされており、施錠装置のロックを解除することで遊技盤等のメンテナンスを容易に行うことができるようになっている。
【０００３】
ところで、パチンコ機ではパチンコ機表面の静電気によって遊技者が不快な刺激を受けたりパチンコ機に備えられた電子回路が破損してしまうことがあり、このため静電気などを外部に放出するためのアース機構が設けられている。例えば、特許文献１には、発射装置によって発射されたパチンコ玉を遊技領域に導く金属製の外レールと内レールとのうち少なくともどちらかをアースさせたパチンコ機が示されている。
【特許文献１】特開２００２―２５３７６４号公報
【発明の開示】
【発明が解決しようとする課題】
【０００４】
しかしながら、遊技盤を保持する保持枠はマグネシウム合金などで構成されているため電波や静電気などによって電流が発生することがあり、この電流によって遊技盤に備えられた電子回路が誤作動もしくは故障してしまうことがある。このため、ヒンジ部を経由させて保持枠と遊技機本体とをリード線で接続させ、保持枠の静電気を、遊技機本体を介して外部に放出していたが、このリード線のためにパチンコ機のメンテナンス作業が煩雑になってしまうことがあった。また、リード線を配置するために保持枠と遊技機本体とにスペースを確保しなければならず、このためにパチンコ機のスリム化が妨げられてしまうことがあった。
【０００５】
本発明は上記の事情に鑑みてなされたものであり、その目的は、保持枠の静電気を除電するコンパクトなアース構造を備えた弾球遊技機を提供することにある。
【課題を解決するための手段】
【０００６】
上記の目的を達成するために、本発明の弾球遊技機では、遊技盤上に形成される遊技領域を視認させる窓部を備えた扉を有し、遊技盤を保持しかつ扉を開閉自在に支持する保持体を備え、保持体が着脱自在に取り付けられる遊技機本体に前記扉を閉鎖する施錠装置を備えた弾球遊技機において、施錠装置に、アースされたアース部を設け、保持体に、保持体が遊技機本体に組み込まれたときにアース部に当接し、導電性を有する当接部を設けたことを特徴とする。
【０００７】
また、遊技盤上に形成される遊技領域を視認させる窓部を備えた扉を有し、遊技盤を保持しかつ扉を開閉自在に支持する保持体を備え、保持体が取り付けられる遊技機本体に保持体を着脱自在に固定する固定装置を備えた弾球遊技機において、固定装置に、アースされたアース部を設け、保持体に、保持体が遊技機本体に組み込まれたときにアース部に当接し、導電性を有する当接部を設けたことを特徴とする。
【０００８】
また、保持体が遊技機本体に組み込まれたときに、アース部と当接部とに接触する導電性を有した接続中継部材を備えたことを特徴とする。
【０００９】
また、保持体と、遊技盤もしくは遊技盤上に設けられた構造物とを電気的に接続させる接続部を設けたことを特徴とする。
【００１０】
また、保持体に扉を電気的に接続させる接続部を設けたことを特徴とする。
【発明の効果】
【００１１】
本発明の弾球遊技機によれば、遊技盤上に形成される遊技領域を視認させる窓部を備えた扉を有し、遊技盤を保持しかつ扉を開閉自在に支持する保持体を備え、保持体が着脱自在に取り付けられる遊技機本体に前記扉を閉鎖する施錠装置を備えた弾球遊技機において、施錠装置に、アースされたアース部を設け、保持体に、保持体が遊技機本体に組み込まれたときにアース部に当接し、導電性を有する当接部を設けたことにより、施錠装置のアース部に保持体の当接部を当接させて保持体の静電気や電荷をアースされた施錠装置に伝達することができ、これによって保持体の静電気を除電するコンパクトなアース構造を有する弾球遊技機を提供することができる。
【００１２】
また、遊技盤上に形成される遊技領域を視認させる窓部を備えた扉を有し、遊技盤を保持しかつ扉を開閉自在に支持する保持体を備え、保持体が取り付けられる遊技機本体に保持体を着脱自在に固定する固定装置を備えた弾球遊技機において、固定装置に、アースされたアース部を設け、保持体に、保持体が遊技機本体に組み込まれたときにアース部に当接し、導電性を有する当接部を設けたことにより、固定装置のアース部に保持体の当接部を当接させて保持体の静電気をアースされた固定装置に伝達することができ、これによって保持体の静電気を除電するコンパクトなアース構造を有する弾球遊技機を提供することができる。
【００１３】
また、保持体が遊技機本体に組み込まれたときに、アース部と当接部とに接触する導電性を有した接続中継部材を備えたことにより、保持体が遊技機本体に固定されたときには中継接続部材が保持体の当接部とアース部とに接触し、これによって確実に保持体をアース部に接続させることができる。
【００１４】
また、保持体と遊技盤もしくは遊技盤上に設けられた構造物とを電気的に接続させる接続部を設けたことにより、遊技盤もしくは遊技盤上の構造物の静電気が保持体に伝わり、さらに保持体からアース部に伝えられ、これによって遊技盤及び遊技盤上に設けられた構造物の静電気を除電することができる。
【００１５】
また、保持体に扉を電気的に接続させる接続部を設けたことにより、扉の静電気が保持体に伝達され、さらに保持体の当接部からアース部に伝えられ、これによって扉の静電気を除電することができる。
【発明を実施するための最良の形態】
【００１６】
本発明を実施した弾球遊技機であるパチンコ機の外観斜視図を図１に示す。パチンコ機２の前面には、上扉４及び下扉５からなる２枚の前面扉６が遊技機本体３に対して回動自在に設けられている。上扉４及び下扉５は一方の側端部に設けられたヒンジ部８を介して開閉自在に遊技機本体３に取り付けられている。上扉４及び下扉５は後述する施錠装置によって閉鎖される。
【００１７】
遊技機本体３には、各種チャッカ、センター役物３０などの構造物が設けられた遊技盤１８、センター役物３０などの駆動を制御する制御回路などがユニット化された遊技盤ユニットが着脱自在に取り付けられており、遊技盤ユニットは容易に交換できるようになっている。上扉４の中央には開口４ａが設けられ、この開口４ａにはガラス板７が組み付けられている。ガラス板７と遊技盤１８との間にはパチンコ玉が流下する遊技領域９が形成され、遊技者はガラス板７を通して遊技領域９を視認することができる。
【００１８】
下扉５には、受け皿１２、発射操作装置１４、球通路１５、払出口１６等が設けられている。受け皿１２には遊技を開始する際にパチンコ玉が流入する他、遊技領域９を流下するパチンコ玉が遊技盤１８に設けられた入賞口に入賞することに応じてパチンコ玉が払出口１６から払い出される。球通路１５は遊技機本体３に設けられた図示しない発射装置と受け皿１２との間に形成され、受け皿１２に貯留されたパチンコ玉を発射装置まで案内する。発射操作装置１４は、パチンコ玉を遊技領域９に打ち出す際に操作され、後述する回動部材の位置に応じてパチンコ玉の打ち出しの強さが変化する。
【００１９】
遊技盤１８上には、釘、スタートチャッカ２３、入賞チャッカ２４、アタッカ２６、センター役物３０等の構造物が設けられている。遊技盤１８上には釘が植設されており、この釘に当たって方向を変えながらながらパチンコ玉は遊技領域９を流下する。スタートチャッカ２３には、例えば電動チューリップと呼ばれる開閉式の可動装置が設けられ、これによってパチンコ玉が入賞しやすい状態と入賞しにくい状態とが切り替えられるようになっている。なお、遊技領域９に打ち出されたパチンコ玉が入賞チャッカ２４やアタッカ２６等のいずれにも入賞しない場合はアウト口３３によって回収される。
【００２０】
センター役物３０には４つの保留表示部及び表示画面３５が備えられており、保留表示部は、センター役物３０上に設けられた表示画面３５において図柄が変動表示されている間にスタートチャッカ２３に設けられた始動入賞口にパチンコ玉が入賞するごとに１つ点灯する。この入賞は、電子抽選を行って図柄を変動させる権利として持ち越され、この権利の持ち越しは上限が４つまでと予め定められている。この権利を消化するごとに保留表示部は１つずつ消灯する。
【００２１】
センター役物３０に備えられた表示画面３５は、例えば、横に３つの図柄を並べて表示して電子抽選の結果を告知する。始動入賞口にパチンコ玉が入賞したときに開始される電子抽選に応じて表示画面３５に図柄を変動表示した後に、所定の図柄を停止表示することで遊技者に対して抽選結果が告知される。図柄は、例えば１〜９までの数字であり、図柄が縦に流れる変動表示が行われた後、電子抽選に当選した場合には同じ数字が３つ順次停止表示される。また、表示画面３５に表示される図柄の表示態様には、当たりに対応した図柄が停止表示される前段階で、３つの図柄のうち２つが同じ図柄で停止表示され残る１つが変動表示される、いわゆるリーチ表示が設定されており、これによって遊技者に期待感を持たせている。
【００２２】
スタートチャッカ２３に設けられた始動入賞口（図示省略）にパチンコ玉が入賞すると予め決められた個数のパチンコ玉が払出口１６から払い出されて受け皿１２に流入する。また、始動入賞口にパチンコ玉が入賞すると電子抽選が開始され、乱数の抽出、抽出された乱数が当たりとなる乱数であるか否かの判定が行われ、判定の結果は表示画面３５に表示される。
【００２３】
スタートチャッカ２３の下方には２つの入賞チャッカ２４が設けられている。入賞チャッカ２４には通常入賞口が設けられ、通常入賞口にパチンコ玉が入賞すると、所定の個数のパチンコ玉が払出口１６を介して受け皿１２に払い出されるようになっている。
【００２４】
アタッカ２６には大入賞口及び大入賞口を開閉する可動扉が備えられ、表示画面３５によって当たりが告知されたときに可動扉が開放され、所定期間開放された場合や一定個数のパチンコ玉が入賞した場合に閉じる。大入賞口にパチンコ玉が入賞すると、これに応じて予め決められた個数のパチンコ玉が受け皿１２に払い出される。大入賞口の一時的な開放が一定回数繰り返されると、当たりの告知に伴うアタッカ２６の開放が終了するようになっている。
【００２５】
図２にパチンコ機２の分解斜視図を示す。遊技機本体３には、保持枠である中枠３６、遊技盤ユニット、上扉４などからなる中枠ユニット３８が着脱自在に取り付けられる。中枠３６は導電性を有したマグネシウム合金によって枠状に形成されており、枠内には遊技盤ユニットが保持されている。図示は省略するが、遊技盤ユニットは、遊技盤１８と遊技盤１８の裏側に取り付けられる裏セット部とを有し、裏セット部には遊技全般を制御する制御回路が備えられている。なお、中枠３６を構成する材料はマグネシウム合金に限らず、電気的な接続部からアース部に向けて静電気等を伝導させ、かつ導電性を有する材料によって遊技盤を保持するように枠状に形成された枠体であれば適宜変更してよい。
【００２６】
遊技盤１８上に設けられたスタートチャッカ２３、入賞チャッカ２４、アタッカ２６、センター役物３０などの構造物は、図示しないリード線などの接続部を介して中枠３６に接続されている。これにより遊技盤１８上の構造物にパチンコ玉が衝突することで発生した静電気や電荷などは中枠３６に伝導される。また、上扉４には中枠３６側に突出した接触部３９が設けられ、接触部３９は上扉４が閉鎖されたときに中枠３６に接触するようになっている。
【００２７】
遊技機本体３には、遊技場に固定される外枠４０と、外枠４０の内側に嵌め込まれる内枠４１とが設けられている。内枠４１はプラスチックで形成されており、中枠ユニット３８を嵌合するための開口４１ａが形成され、この開口４１ａの周囲にはスピーカ４３などが配置されている。図示は省略するが、上扉４の一方の側端にはヒンジ部８を構成する第１軸部が設けられ、中枠３６の一方の側端には第１軸部を回動自在に支える第１支持部が設けられている。さらに、内枠４１には中枠３６に形成された第２軸部を回動自在に支える第２支持部が設けられ、これにより上扉４は中枠３６に、中枠３６は内枠４１にそれぞれ回動自在に支持されている。
【００２８】
内枠４１の他方の側端部には上扉４をロックするための専用のキーが差し込まれるキーシリンダ７０が配置され、キーシリンダ７０は後述する施錠装置に設けられている。内枠４１からは前方に向かってキーシリンダ７０の動作と連動して上下移動する２つの係止爪７６が突出しており、この係止爪７６が上扉４に掛かることで上扉４はロックされる。
【００２９】
図３に示すように、内枠４１の外側は、外枠４０に嵌め込まれるように形成され、内側には中枠３６が収められる開口４１ａが形成されている。開口４１ａの下側には図示しない発射装置が設けられ、内枠４１の裏側にはパチンコ玉を一時的に貯留する貯留タンク（図示省略）やパチンコ玉を払い出す払出装置（図示省略）などが設けられている。
【００３０】
内枠４１の一方の側端には第３軸部４１ｅが形成され、外枠４０には第３軸部を回動自在に支える第３支持部（図示省略）が設けられている。内枠４１の他方の側端部には施錠装置７２が取り付けられる固定部４１ｂが形成されている。この固定部４１ｂには、キーシリンダ７０の鍵穴面７５を前側に露呈させるための開口４１ｃや、２つの係止爪７６を前方に移動自在に露呈させる開口４１ｄが形成されている。施錠装置７２は柱状に形成され、内枠４１の背面にビスによって取り付けられている。
【００３１】
施錠装置７２は縦に細長い形状をしており、施錠装置７２には、アース部であって板材を柱状に形成したフレーム部７３、キーシリンダ７０、上扉４に掛かる２つの係止爪７６等が設けられている。フレーム部７３は、冷間圧延鋼板（ＳＰＣＣ）の表面にメッキ処理が施されたものによって構成されている。フレーム部７３の上部にはキーシリンダ７０が設けられ、キーシリンダ７０の鍵穴面７５には専用のキーが差し込まれる。キーシリンダ７０に差し込まれたキーの回動操作に応じ係止爪７６が上扉４に対し、係止又は非係止する位置に移動するようになり、これによって上扉４が開放又はロックされる。フレーム部７３にはリード線８２の一端が電気的に接続され、リード線８２の他端は遊技場のグランド端子（図示省略）に接続されており、これによってフレーム部７３の静電気や電荷がパチンコ機２の外部に放出されるようになっている。
【００３２】
図４に示すように内枠４１に設けられた開口４１ａ内における他方の側端部には、略Ｕ字形状の接続中継部材である板バネ９０が取り付けられている。内枠４１には板バネ９０を嵌め込むように取り付けるため、内側に向かって突出した板状の取付部６３が形成され、板バネ９０はこの取付部６３を挟むように取り付けられる。取付部６３に取り付けられた板バネ９０のそれぞれの面は遊技機前面及び遊技機後面に露呈しており、これによって施錠装置７２と中枠３６とが内枠４１に嵌め込まれた際、施錠装置７２と中枠３６とが板バネ９０に当接する。なお、クリップ部９０ｃの先端には、取付部６３に形成された凸部６３ａと係合する凹部９０ｄが形成されており、これによって板バネ９０は取付部６３から脱落しないようになっている。
【００３３】
図５に示すように、板バネ９０は、取付部６３を挟持するクリップ部９０ｃ、フレーム７３に接触するフレーム接触部９０ａ、中枠３６に接触する中枠接触部９０ｂとから構成されている。クリップ部９０ｃは矩形の板材が略Ｕ字形状に折り曲げられ、折り曲げられた一方に弾性片となるフレーム接触部９０ａが形成され、折り曲げられた他方に弾性片となる中枠接触部９０ｂが形成されている。フレーム接触部９０ａ及び中枠接触部９０ｂは、その根元から先端に向かって序々に外側に向かって突出している。
【００３４】
クリップ部９０の両端部は外側に向かって反り返っており、板バネ９０を取付部６３から取り外すにはこのクリップ部９０ｃの先端部を外側に開くことにより、係合孔が突起からはずれて取り外すことができる。
【００３５】
図６に示すように、板バネ９０が取付部６３に取り付けられ、施錠装置７２が内枠４１の固定部４１ｂにビス止めされると、フレーム接触部９０ａがクリップ部９０ｃ側に押され、フレーム接触部９０ａは外側に向かって付勢された状態となる。中枠３６が内枠４１に嵌め込まれると、中枠３６の背面（当接部）３６ａが中枠接触部９０ｂに接触して中枠接触部９０ｂがクリップ部９０ｃ側に押され、中枠接触部９０ｂは外側に向かって付勢された状態となる。これによりフレーム接触部９０ａが確実にフレーム部７３に接触し、中枠接触部９０ｂが確実に中枠３６に接触して、中枠３６と施錠装置７２とが接続される。以上のように、マグネシウム合金製の中枠３６を内枠４１に取り付けただけでメッキ処理されたＳＰＣＣ製のフレーム部７３と接続させることにより、リード線を配設させるといった煩わしい作業を要することなく中枠３６をアースさせることができる。
【００３６】
本発明の作用について説明する。内枠４１の他方の側端部には施錠装置７２の取り付けるための固定部４１ｂが形成され、この固定部４１ｂには板バネ９０を取り付けるための取付部６３が形成されている。固定部４１ｂに施錠装置７２が取り付けられると、板バネ９０に形成されたフレーム接触部９０ａがフレーム部７３に接触する。施錠装置７２はリード線を介して遊技場のグランド端子に接続されている。中枠ユニット３８が内枠４１に形成された開口４１ａに嵌め込まれると、中枠３６が中枠接触部９０ｂに接触する。フレーム接触部９０ａはフレーム部７３に向けて付勢され、中枠接触部９０ｂは中枠３６に向けて付勢されているため、中枠３６と施錠装置７２のフレーム部７３とが確実に電気的に接続されている。これによって中枠３６の電流や静電気は板バネ９０を介して施錠装置７２のフレーム部７３に伝導され、フレーム部７３に伝導された静電気や電流はリード線８２を介して外部に放出される。また、上扉４は閉じられると接触部３９を介して中枠３６に接続され、これによって上扉４の静電気や電荷が中枠３６及び施錠装置７２のフレーム部７３を介して外部に放出される。また、中枠３６には接続部を介して遊技盤１８上の構造物が接続されているため、例えば、センター役物３０などで発生した静電気や電荷は中枠３６に伝導され、施錠装置７２のフレーム部７３を介して外部に放出される。これによってパチンコ機２の故障の低減が期待できる。
【００３７】
次に本発明の第２実施形態について説明する。図７に示すように、遊技機本体１００には前方に突き出たピン１０５が設けられ、遊技機本体１００に着脱自在に組み込まれる中枠（保持体）１１０にはこのピン１０５に係合する金属製の係止片１１５が設けられている。係止片１１５は、中枠１１０に接続され、かつピン１０５に係合する係合位置と係合が解除される解除位置との間で回動自在に設けられている。中枠１１０を遊技機本体１００に固定する固定装置はこのピン１０５と係止片１１５とによって構成される。中枠１１０が遊技機本体１００に組み込まれ、ピン１０５に係止片１１５が係合することにより中枠１１０が遊技機本体１００に固定される。ピン１０５は金属で形成され、図示しないがリード線によって遊技場のグランド端子に接続されている。また、係止片１１５は金属で形成されているため、ピン１０５に係止片１１５が係合することにより、中枠１１０はピン１０５を介してアースされ、中枠１１０の静電気を外部に放出することができる。このように、アースされたピン１０５とこれに係合する係止片１１５とからなる固定装置によって中枠１１０をアースさせ、中枠１１０の静電気や電荷を除電することができる。
【００３８】
なお、上記の第２実施形態ではピン１０５にリード線を接続させてアースしたが、ピンは扉を閉鎖する施錠装置に設けてもよい。ピンを施錠装置のフレーム部に設置し、かつフレーム部をアースさせることによって、中枠が係止片、ピンを介してアースされたフレーム部に接続されるため、中枠の静電気や電荷が外部に放出される。
【図面の簡単な説明】
【００３９】
【図１】本発明のパチンコ機を前側から観察した外観斜視図である。
【図２】中枠ユニットを本体基部から取り外したパチンコ機の分解斜視図である。
【図３】内枠及び内枠に取り付けられる錠前とを斜めから観察した斜視図である。
【図４】内枠に形成された板バネの取付部を示した斜視図である。
【図５】中枠接触部及びフレーム接触部を観察した側面図である。
【図６】施錠装置のフレーム部に板ばねが接触し、さらにこの板バネに中枠が接触した状態を示す部分断面図である。
【図７】遊技機本体のピンに中枠の係止片が係合することによって中枠が遊技機本体に固定される遊技機の斜視図である。
【符号の説明】
【００４０】
２  パチンコ機（弾球遊技機）
３  遊技機本体
４  上扉
５  下扉
９  遊技領域
１２  受け皿
１４  操作ハンドル
１８  遊技盤
３６  中枠（保持体）
４０  外枠
４１  内枠
７０  キーシリンダ
７２  施錠装置
７３  フレーム部（アース部）
８２  リード線
９０  板バネ（接続中継部材）
９０ａ  フレーム接触部
９０ｂ  中枠接触部
９０ｃ  クリップ部
【図１】
2007061269.tif 000003
【図２】
2007061269.tif 000004
【図３】
2007061269.tif 000005
【図４】
2007061269.tif 000006
【図５】
2007061269.tif 000007
【図６】
2007061269.tif 000008
【図７】
2007061269.tif 000009